(57)【特許請求の範囲】
【請求項１】
ＩＣチップに記憶され且つ当該ＩＣチップを他のＩＣチップから識別するためのＩＣチップ識別情報に基づいて認証処理を行う情報処理サーバであって、
ネットワークを介して接続される端末装置から、前記ＩＣチップ識別情報と、前記端末装置を他の端末装置から識別するための端末装置識別情報と、を一組として受信する受信手段と、
前記受信したＩＣチップ識別情報と端末装置識別情報とを対応付けて登録情報として記憶する記憶手段と、
前記登録情報が記憶された後に、新たな前記認証処理を行う場合において、前記端末装置から前記端末装置識別情報を受信する識別情報受信手段と、
前記新たな前記認証処理を行う場合において、前記受信した端末装置識別情報に対して前記登録情報において対応付けられている前記ＩＣチップ識別情報に基づいて、前記新たな前記認証処理を行う認証手段と、
を備えることを特徴とする情報処理サーバ。
【請求項２】
請求項１に記載の情報処理サーバであって、
前記端末装置はＮＦＣモジュールを備える携帯電話機であり、
前記ＩＣチップ識別情報を前記ＮＦＣモジュールによって取得し、前記情報処理サーバへ送信することを特徴とする情報処理サーバ。
【請求項３】
請求項１又は２に記載の情報処理サーバであって、
前記端末装置はＳＩＭカードを備える携帯電話機であり、前記端末装置識別情報はＳＩＭカードに付与されるＩＤであることを特徴とする情報処理サーバ。
【請求項４】
端末装置と、ＩＣチップに記憶され且つ当該ＩＣチップを他のＩＣチップから識別するためのＩＣチップ識別情報に基づいて認証処理を行う情報処理サーバとを備える情報処理システムであって、
前記端末装置は、前記ＩＣチップ識別情報と、前記端末装置を他の端末装置から識別するための端末装置識別情報と、を一組として、ネットワークを介して前記情報処理サーバへ送信する送信手段を備え、
前記情報処理サーバは、
前記端末装置から、前記ＩＣチップ識別情報と、前記端末装置識別情報と、を一組として受信する受信手段と、
前記受信したＩＣチップ識別情報と端末装置識別情報とを対応付けて登録情報として記憶する記憶手段と、
前記登録情報が記憶された後に、新たな前記認証処理を行う場合において、前記端末装置から前記端末装置識別情報を受信する識別情報受信手段と、
前記新たな前記認証処理を行う場合において、前記受信した端末装置識別情報に対して前記登録情報において対応付けられている前記ＩＣチップ識別情報に基づいて、前記新たな前記認証処理を行う認証手段と、
を備えることを特徴とする情報処理システム。
【請求項５】
ＩＣチップに記憶され且つ当該ＩＣチップを他のＩＣチップから識別するためのＩＣチップ識別情報に基づいて認証処理を行う情報処理サーバにおける情報処理方法であって、
ネットワークを介して接続される端末装置から、前記ＩＣチップ識別情報と、前記端末装置を他の端末装置から識別するための端末装置識別情報と、を一組として受信する受信ステップと、
前記受信したＩＣチップ識別情報と端末装置識別情報とを対応付けて登録情報として記憶する記憶ステップと、
前記登録情報が記憶された後に、新たな前記認証処理を行う場合において、前記端末装置から前記端末装置識別情報を受信する識別情報受信ステップと、
前記新たな前記認証処理を行う場合において、前記受信した端末装置の識別情報に対して前記登録情報において対応付けられている前記ＩＣチップ識別情報に基づいて、前記新たな前記認証処理を行う認証ステップと、
を含むことを特徴とする情報処理方法。
【請求項６】
ＩＣチップに記憶され且つ当該ＩＣチップを他のＩＣチップから識別するためのＩＣチップ識別情報に基づいて認証処理を行う情報処理サーバに含まれるコンピュータを、
ネットワークを介して接続される端末装置から、前記ＩＣチップ識別情報と、前記端末装置を他の端末装置から識別するための端末装置識別情報と、を一組として受信する受信手段、
前記受信したＩＣチップ識別情報と端末装置識別情報とを対応付けて登録情報として記憶する記憶手段、
前記登録情報が記憶された後に、新たな前記認証処理を行う場合において、前記端末装置から前記端末装置識別情報を受信する識別情報受信手段、
前記新たな前記認証処理を行う場合において、前記受信した端末装置識別情報に対して前記登録情報において対応付けられている前記ＩＣチップ識別情報に基づいて、前記新たな前記認証処理を行う認証手段、
として機能させることを特徴とする情報処理プログラム。
【発明の詳細な説明】
【技術分野】
【０００１】
本発明は、情報処理システム、情報処理サーバ、情報処理方法及び情報処理プログラム等に関するものであり、より詳細には、例えば、ＩＣカードを用いて認証処理を行う情報処理システム、情報処理サーバ、情報処理方法及び情報処理プログラム等の技術分野に関する。
【背景技術】
【０００２】
近年、ＩＣカード関連技術の発達に伴い、かかるＩＣカードを用いたシステムの信頼性、可用性及び保守性が確立された結果、様々なシステムにおいてＩＣカードが採用されるようになっている。当該ＩＣカードは、採用されるシステムに応じて様々な機能を備えている。このようなＩＣカードの一例として、例えば、Felica（登録商標）の技術を用いた乗車券や電子マネーとしての機能を備えたSuica(登録商標)、所定の場所における入退出時間を記憶する機能を備えた入退出を管理するＩＣカード、店舗等において商品を購入する毎に付与されるポイントを顧客情報とともに記憶する機能を備えた所謂ポイントカードとしてのＩＣカード、又は所定の情報処理サーバとの間で決算処理が行われるクレジット機能を備えたＩＣカード等が挙げられる。
【０００３】
また、特許文献１及び２では、ＩＣカードを用いたシステムを利用する者が携行する物品に当該ＩＣカードの機能を具備させ、当該システムの円滑な運用を図るべく、携帯電話端末にＩＣカードの機能を具備させる技術が開示されている。
【先行技術文献】
【特許文献】
【０００４】
【特許文献１】特開２００８−３０５３８８号公報
【特許文献２】特開２００８−２１１８４９号公報
【発明の概要】
【発明が解決しようとする課題】
【０００５】
しかしながら、上記ＩＣカードは、採用されるシステムに応じて異なる機能を備えた個別のＩＣカードが用意されているため、当該システムを利用する者は、かかるシステムに応じた個別のカードを所有する必要がある。換言すれば、上記システムのうち複数の異なるシステムを利用する場合には、かかる利用者は、システム毎に複数毎ＩＣカードを所持する必要があり、当該ＩＣカードの管理が煩雑となる。
【０００６】
また、特許文献１及び２に記載の技術では、上記ＩＣカードの機能を携帯電話端末に付与することは可能であるが、現在所有するＩＣカードとは全く別のＩＣカードを新たに発行（作り出す）することとなるため、使用中のデータを引き継げない等、サービスによっては新たに個人情報を登録しなければならない等の手間が必要になる。
【０００７】
そこで、本発明は上記各問題点に鑑みてなされたもので、その目的の一例は、ＩＣカードが備える機能を簡便な手続で実行することができる情報処理サーバ、情報処理方法及び情報処理プログラムを提供することを課題とする。
【課題を解決するための手段】
【０００８】
上記の問題を解決するために、請求項１に記載の発明は、Ｃチップに記憶され且つ当該ＩＣチップを他のＩＣチップから識別するためのＩＣチップ識別情報に基づいて認証処理を行う情報処理サーバであって、ネットワークを介して接続される端末装置から、前記ＩＣチップ識別情報と、前記端末装置を他の端末装置から識別するための端末装置識別情報と、を一組として受信する受信手段と、前記受信したＩＣチップ識別情報と端末装置識別情報とを対応付けて登録情報として記憶する記憶手段と、前記登録情報が記憶された後に、新たな前記認証処理を行う場合において、前記端末装置から前記端末装置識別情報を受信する識別情報受信手段と、前記新たな前記認証処理を行う場合において、前記受信した端末装置識別情報に対して前記登録情報において対応付けられている前記ＩＣチップ識別情報に基づいて、前記新たな前記認証処理を行う認証手段と、を備える。
【０００９】
この発明によれば、ＩＣカードが備える機能を簡便な手続で実行することができる。
【００１０】
請求項２に記載の発明は、請求項１に記載の情報処理サーバであって、前記端末装置はＮＦＣモジュールを備える携帯電話機であり、前記ＩＣチップ識別情報を前記ＮＦＣモジュールによって取得し、前記情報処理サーバへ送信する。
【００１１】
この発明によれば、種々のＩＣカードが備える機能を簡便な手続で実行することができる。
【００１２】
請求項３に記載の発明は、請求項１又は２に記載の情報処理サーバであって、前記端末装置はＳＩＭカードを備える携帯電話機であり、前記端末装置識別情報はＳＩＭカードに付与されるＩＤであることを特徴とする。
【００１３】
この発明によれば、ＩＣカードが備える機能をより簡便な手続で、更に安全に実行することができる。
【００１４】
請求項４に記載の発明は、端末装置と、ＩＣチップに記憶され且つ当該ＩＣチップを他のＩＣチップから識別するためのＩＣチップ識別情報に基づいて認証処理を行う情報処理サーバとを備える情報処理システムであって、前記端末装置は、前記ＩＣチップ識別情報と、前記端末装置を他の端末装置から識別するための端末装置識別情報と、を一組として、ネットワークを介して前記情報処理サーバへ送信する送信手段を備え、前記情報処理サーバは、前記端末装置から、前記ＩＣチップ識別情報と、前記端末装置識別情報と、を一組として受信する受信手段と、前記受信したＩＣチップ識別情報と端末装置識別情報とを対応付けて登録情報として記憶する記憶手段と、前記登録情報が記憶された後に、新たな前記認証処理を行う場合において、前記端末装置から前記端末装置識別情報を受信する識別情報受信手段と、前記新たな前記認証処理を行う場合において、前記受信した端末装置識別情報に対して前記登録情報において対応付けられている前記ＩＣチップ識別情報に基づいて、前記新たな前記認証処理を行う認証手段と、を備えることを特徴とする。
【００１５】
請求項５に記載の発明は、ＩＣチップに記憶され且つ当該ＩＣチップを他のＩＣチップから識別するためのＩＣチップ識別情報に基づいて認証処理を行う情報処理サーバにおける情報処理方法であって、ネットワークを介して接続される端末装置から、前記ＩＣチップ識別情報と、前記端末装置を他の端末装置から識別するための端末装置識別情報と、を一組として受信する受信ステップと、前記受信したＩＣチップ識別情報と端末装置識別情報とを対応付けて登録情報として記憶する記憶ステップと、前記登録情報が記憶された後に、新たな前記認証処理を行う場合において、前記端末装置から前記端末装置識別情報を受信する識別情報受信ステップと、前記新たな前記認証処理を行う場合において、前記受信した端末装置の識別情報に対して前記登録情報において対応付けられている前記ＩＣチップ識別情報に基づいて、前記新たな前記認証処理を行う認証ステップと、を含むことを特徴とする。
【００１６】
請求項６に記載の発明は、ＩＣチップに記憶され且つ当該ＩＣチップを他のＩＣチップから識別するためのＩＣチップ識別情報に基づいて認証処理を行う情報処理サーバに含まれるコンピュータを、ネットワークを介して接続される端末装置から、前記ＩＣチップ識別情報と、前記端末装置を他の端末装置から識別するための端末装置識別情報と、を一組として受信する受信手段、前記受信したＩＣチップ識別情報と端末装置識別情報とを対応付けて登録情報として記憶する記憶手段、前記登録情報が記憶された後に、新たな前記認証処理を行う場合において、前記端末装置から前記端末装置識別情報を受信する識別情報受信手段、前記新たな前記認証処理を行う場合において、前記受信した端末装置識別情報に対して前記登録情報において対応付けられている前記ＩＣチップ識別情報に基づいて、前記新たな前記認証処理を行う認証手段、として機能させることを特徴とする。
【発明の効果】
【００１７】
以上のように、本発明によれば、受信した端末装置識別情報に対応付けられたＩＣチップ識別情報に基づいて認証処理を行うため、ＩＣカードが備える機能を簡便な手続で実行することができる。
【図面の簡単な説明】
【００１８】
【図１】本実施形態に係る情報処理システムＳの概要構成の一例を示す図である。
【図２】本実施形態に係る情報処理サーバ１の概要構成の一例を示すブロック図である。
【図３】記憶部１３に構築される、契約者情報ＤＢ１３１及び登録情報ＤＢ１３２に記憶される情報を示すテーブルである。
【図４】携帯電話機２内の機能ブロックの一例を示す概念図である。
【図５】本実施形態における情報処理システムＳの上記登録情報が記憶されるまでの処理及び情報の流れ等を示すシーケンス図である。
【図６】本実施形態における上記登録情報が記憶されるまでについての動作例を示す概念図である。
【図７】本実施形態における情報処理システムＳの本実施形態におけるＳＩＭ番号を用いた認証処理についての処理及び情報の流れ等を示すシーケンス図である。
【図８】複数のＩＣカードの上記認証処理を受ける機能を取り込んで、各ＩＣカードとして振舞う携帯電話機２を示す概念図である。
【図９】本実施形態における効果を示す概念図である。
【発明を実施するための形態】
【００１９】
以下、図面を参照して本発明の実施形態について説明する。なお、以下に説明する実施の形態は、情報処理システムに対して本発明を適用した場合の実施形態である。
【００２０】
先ず、本発明の一実施形態に係る情報処理システムＳの構成及び概要機能について、図１を用いて説明する。
【００２１】
図１は、本実施形態に係る情報処理システムＳの概要構成の一例を示す図である。
【００２２】
図１に示すように、情報処理システムＳは、ＩＣカード３を用いたシステムを運用する企業側に備えられる情報処理サーバ１と、このシステムを利用する契約を結んだ者（以下、単に「契約者」とする。）側に備えられる携帯電話機２（端末装置の一例）と、企業側から契約者に付与（貸与又は譲渡等を含む）される図示しないＩＣチップを備えるＩＣカード３と、を含んで構成される。
【００２３】
また、情報処理サーバ１と携帯電話機２は、ネットワークＮＷを介して、相互にデータの送受信が可能になっている。なお、ネットワークＮＷは、インターネット、専用通信回線（例えば、ＣＡＴＶ（Community Antenna Television）回線）、移動体通信網（基地局等を含む）、及びゲートウェイ等により構築されている（通信プロトコルにＴＣＰ／ＩＰ（Transmission Control Protocol/Internet Protocol）等を採用）。また、ＩＣカード３と情報処理サーバ１は、図示しないリーダライタ装置を介して非接触で相互にデータの送受信が可能となっている。かかるリーダライタ装置は、例えば、非接触ＩＣカード技術である公知のFeliCa技術を採用したＲＦＩＤリーダライタが適用され、当該FeliCa技術を採用したＩＣチップからのデータの読み取り及び当該ＩＣチップへのデータの書き込みを所定周波数の電波により非接触で（非接触通信により）行うことが可能になっている。更に、ＩＣカード３と携帯電話機２は、詳しくは後述するが、携帯電話機２に備えられるリーダライタ機能によって相互にデータの送受信が可能となっている。
【００２４】
なお、図１の例では、説明の便宜上、情報処理サーバ１及びＩＣカード３は一つずつ示されているが、システムを運用する企業側毎に多数存在するようにしてもよい。また、携帯電話機２は、契約者毎に多数存在する。
【００２５】
［１−１.情報処理サーバ１の構成及び機能］
次に、情報処理サーバ１の構成及び機能について、図２を用いて説明する。
【００２６】
図２は、本実施形態に係る情報処理サーバ１の概要構成の一例を示すブロック図である。
【００２７】
図２に示すように、情報提供サーバ１は、通信部１１と、操作部１２と、記憶部１３と、入出力インターフェース部１６と、システム制御部１４（受信手段、記憶手段、登録情報送信手段、識別情報受信手段、認証手段の一例）とを備えている。そして、システム制御部１４と入出力インターフェース部１６とは、システムバス１５を介して接続されている。
【００２８】
通信部１１は、ネットワークＮＷに接続して、携帯電話機２との通信を制御する。また、通信部１１は、図示しないリーダライタ装置を介して、ＩＣカード３との通信を制御する。
【００２９】
操作部１２は、例えば、キーボード及びマウス等を備える。
【００３０】
記憶部１３は、例えば、ハードディスクドライブ等により構成されており、オペレーティングシステム及びデータ抽出プログラム等の各種プログラムを記憶する。
【００３１】
また、記憶部１３には、契約者情報ＤＢ（データベース）１３１、及び登録情報ＤＢ１３２が構築されている。
【００３２】
なお、これらのデータベースは、データベースを管理するデータベースサーバに構築されるようにしてもよい。この場合、情報提供サーバ１は、上記データベースサーバ、その他のサーバから構成されるサーバ群として構成するようにしてもよい。
【００３３】
ここで、記憶部１３に構築される契約者情報ＤＢ１３１、及び登録情報ＤＢ１３２について、図３と対応付けて説明する。
【００３４】
図３は、記憶部１３に構築される契約者情報ＤＢ１３１及び登録情報ＤＢ１３２に記憶される情報を示すテーブルである。
【００３５】
図３（Ａ）に示す契約者情報データベース（ＤＢ）１３１には、契約者情報として、契約者（後述するクレジットカードの契約者）のユーザＩＤ、後述するＩＣカード識別情報（ＩＣチップ識別情報の一例）、パスワード、名称、住所、電話番号、メールアドレス等の属性情報が登録されている。かかる契約者情報は、契約者のユーザＩＤによって契約者毎に判別可能になっている。ここで、契約者のユーザＩＤは、ユーザを識別するための識別子である。またＩＣカード識別情報は、契約者情報として登録されているため、契約者を識別するための識別情報として用いることができる。
【００３６】
図３（Ｂ）に示す登録情報データベース（ＤＢ）１３２には、登録情報として、契約者のユーザＩＤ、ＩＣカード識別情報、及び後述するＳＩＭ番号（端末装置識別情報の一例）が登録されている。このＳＩＭ番号は、登録情報として登録されているため、契約者を識別するための識別情報として用いることができる。さらに、登録情報として登録されているユーザＩＤから、契約者情報ＤＢ１３１を参照して、契約者情報をユーザ毎に識別することができる。
【００３７】
入出力インターフェース部１６は、通信部１１及び記憶部１３とシステム制御部１４との間のインターフェース処理を行うようになっている。
【００３８】
システム制御部１４は、ＣＰＵ（Central Processing Unit）１４ａ、ＲＯＭ（Read Only Memory）１４ｂ、ＲＡＭ（Random Access Memory）１４ｃ等により構成されている。
【００３９】
そして、システム制御部１４は、ＣＰＵ１４ａが、ＲＯＭ１４ｂや記憶部１３に記憶された各種プログラムを読み出し実行することにより、上記各手段として機能するようになっている。
【００４０】
また、本実施形態における情報処理サーバ１は、ＩＣカード３を用いたシステムを運用する企業側、例えばクレジットカードの契約者との間で決算処理を行う信販会社等に備えられ、契約者が例えば店舗における商品の購入又はサービスの提供を受ける際に、その代金を信販会社等に事後的に支払う信用取引を行うようになっている。
【００４１】
かかる信用取引を行うために、システム制御部１４は、契約者が所有するＩＣカード３のＩＣチップに記憶されたＩＣカード識別情報を参照して認証処理を行い、認証結果に基づいて決算処理を行い、上記信用取引を成立させるようになっている。
【００４２】
ここで、認証処理とは、信用取引を行う者が契約者本人であり、当該契約者が信用取引を行う権利を有することを確認するための処理（本人確認）である。この認証処理は公知の手法であるため詳しい説明は省略するが、その一例として、上記信用取引時に、情報処理システム１は、契約者が所有するＩＣカードに記憶されたＩＣカード識別情報の送信を要求する。そして、情報処理システム１は、送信されたＩＣカード識別情報と、契約者情報ＤＢ１３１に登録されたＩＣカード識別情報を照合して、本人確認を行うようになっている。
【００４３】
具体的には、システム制御部１４は、図示しないリーダライタ装置から送信されるＩＣカード識別情報と、契約者情報ＤＢ１３１に記憶されるＩＣカード識別情報を照合することにより契約者情報を検索し、当該契約者情報に登録されたＩＣカード識別情報を照合して認証処理を行うようになっている。
【００４４】
更に、システム制御部１４は、携帯電話機２から送信されるＩＣカード識別情報と携帯電話機２のＳＩＭ番号を受信すると、契約者情報ＤＢ１３１を参照して、受信したＩＣカード識別情報が契約者情報として記憶されているか否かを確認する。そして、受信したＩＣカード識別情報が契約者情報として記憶されていた場合には、システム制御部１４は、当該ＩＣカード識別情報と受信したＳＩＭ番号とを対応付けて登録情報として登録情報ＤＢ１３２に記憶するようになっている。
【００４５】
すなわち、受信したＩＣカード識別情報が契約者情報として記憶されていた場合には、かかるＩＣカード識別情報を送信した者は、上記契約者であり、上記システムを利用する権利を有する者であることを示している。
【００４６】
そこで、システム制御部１４は、かかる契約者が新たに前記認証処理を行う場合には、携帯電話機２の操作によりＳＩＭ番号を送信することによって上記認証処理を可能とするために、当該ＩＣカード識別情報と受信したＳＩＭ番号とを対応付けて登録情報として登録情報ＤＢ１３２に記憶するようになっている。
【００４７】
以後、上記ＩＣカード識別情報と受信したＳＩＭ番号とを対応付けて登録情報として記憶された場合の当該ＩＣカード識別情報が示すＩＣカードを、単に「登録情報が記憶されたＩＣカード」とする。
【００４８】
そして、システム制御部１４は、この登録情報が記憶されると、新たに認証処理を行う場合には、登録情報ＤＢ１３２を参照して、携帯電話機２から送信されるＳＩＭ番号と対応付けられたＩＣカード識別情報を検索し、検索されたＩＣカード識別情報が契約者情報として記憶されていた場合には、当該契約者情報に登録されたＩＣカード識別情報を用いて上記認証処理を行うようになっている。
【００４９】
なお、情報処理サーバ１は、例えば、パーソナルコンピュータ、ワークステーション、ＰＤＡ(Personal Digital Assistant)、ＳＴＢ(Set Top Box)、等を適用することができる。
【００５０】
［１−２.携帯電話機２の構成及び機能］
携帯電話機２は、アンテナ、スピーカ、マイク、操作キー、ディスプレイ、及び電子回路基板（ＣＰＵ、ＲＡＭ、ＲＯＭ（各種データ及び携帯電話機２の動作を担うプログラムを予め記憶）等が実装）により構成されている。
【００５１】
図４は、携帯電話機２内の機能ブロックの一例を示す概念図である。
【００５２】
図４に示すように、携帯電話機２は、一般的な通信制御機能（例えば、Ｗ−ＣＤＭＡ又はＣＤＭＡ２０００の通信方式による。本願の送信手段の一例。）、ブラウザ機能（ＵＲＬを指定することで所定のサーバにアクセスして所定の情報を受ける（例えば、http（Hyper Text Transfer Protocol）による））、メーラ機能（例えば、メーラをユーザインターフェースとして、他の携帯電話機又はサーバ等との間でネットワークＮＷを介したデータの送受信を行う。）、携帯アプリ（携帯電話機の利用者が携帯電話機上で実行したい作業を実施する機能を直接的に有するソフトウェア）等を有している。なお、携帯電話機２におけるこれらの機能は公知であるため詳しい説明を省略する。
【００５３】
また、携帯電話機２には、上述したＳＩＭ番号が記憶された図示しないＳＩＭカードが備えられている。このＳＩＭ番号は、契約者の携帯電話機２に備えられるＳＩＭカード（Subscriber Identity Module Card）に記憶される固有の識別番号であり、ＩＭＳＩ（International Mobile Subscriber Identity）とも呼ばれている。ＳＩＭカードについては公知の技術であるため詳しい説明は省略するが、携帯電話会社が発行する、固有の番号及び携帯電話番号等の契約者情報を記録したＩＣカードであり、ＧＳＭ（Global System for Mobile Communications）やＷ-ＣＤＭＡ（Wideband Code Division Multiple Access）などの方式の携帯電話機に差し込んで利用者の識別に用いられている。
【００５４】
更に、本実施形態の携帯電話機２は、アンテナ及びＮＦＣ通信制御部（当該携帯電話機２におけるＣＰＵと電気的に接続されている）等を備えるＮＦＣモジュールを搭載し、上述したＩＣカード３との間でデータ通信を可能とするリーダライタ機能を実現している。
【００５５】
このリーダライタ機能は、例えば、非接触ＩＣカード技術である公知のＮＦＣ（Near  Field  Communication）（登録商標）技術を採用しており、Ｍｉｆａｒｅ（登録商標）（ISO/IEC14443  TypeA）、ＩＳＯ／ＩＥＣ１４４４３  ＴｙｐｅＢ、ＦｅｌｉＣａ及びＩＳＯ／ＩＥＣ１５６９３技術を採用したＩＣチップ（以下、「非接触ＩＣチップ」という）が備えられたＩＣカードから、データの読取り及びデータの書込みを非接触で行うことができる。
【００５６】
ＮＦＣについては公知の技術であるため詳しい説明は省略するが、非接触ＩＣカードとして機能し対応するＭｉｆａｒｅ、ＩＳＯ／ＩＥＣ１４４４３  ＴｙｐｅＢ、ＦｅｌｉＣａ及びＩＳＯ／ＩＥＣ１５６９３として振る舞うことができるカードエミュレーション機能、リーダライタとして機能しＭｉｆａｒｅ、ＩＳＯ／ＩＥＣ１４４４３  ＴｙｐｅＢ、ＦｅｌｉＣａ及びＩＳＯ／ＩＥＣ１５６９３に対応するＩＣカード及びＩＣチップの読み書きを可能とするリーダライタ（Ｒ／Ｗ）エミュレーション機能、そして、ＮＦＣを搭載した機器間で通信を行うことができる端末間通信機能の各種機能を備えている。
【００５７】
更に、本実施形態における携帯電話機２は、上記携帯アプリの一例として認証処理用アプリを有している。この認証処理用アプリは、契約者が、ＩＣカード３の代わりに携帯電話機２を用いて、上記企業との間で信用取引を成立させることを実現するためのソフトウェアである。
【００５８】
具体的には、契約者の操作に基づき認証処理用アプリが起動されると、当該アプリの制御のもと、携帯電話機２のＣＰＵは、携帯電話機２をＩＣカード３として振る舞うべく、上記ＮＦＣのカードエミュレーション機能を起動させ、ＩＣカード３のＩＣチップに記憶されたＩＣカード識別情報を読み取る。そして、携帯電話機２のＣＰＵは、読み取ったＩＣカード識別情報と、携帯電話機２のＳＩＭ番号とを、情報処理サーバ１へ送信するようになっている。
【００５９】
更に、携帯電話機２のＣＰＵは、情報処理サーバ１から上記登録情報を受信すると、新たに上記信用取引を成立させようとする際には、上記アプリの制御のもと上記ＮＦＣのリーダライタエミュレーション機能によって、ＳＩＭ番号を情報処理サーバ１へ送信するようになっている。
【００６０】
従って、携帯電話機２のＣＰＵは、上記アプリの制御のもと、情報処理サーバ１へＳＩＭ番号を送信することによって、上記認証処理を受けることができる。換言すれば、本実施形態の携帯電話機２のＣＰＵは、ＩＣカード３の上記認証処理を受ける機能を取り込んで、ＩＣカード３として振る舞うことを可能としている。
【００６１】
なお、携帯機器としては、例えば、携帯電話機、ＰＤＡ、ポータブルプレイヤー等を適用可能であるが、本実施形態においては、携帯電話機２を適用する。
【００６２】
［１−３.ＩＣカード３の構成及び機能］
ＩＣカード３は、ＩＣチップをＩＣカード基体に備えている。
【００６３】
ＩＣチップは、図示しないインターフェース、ＲＯＭ(Read Only Memory)、ＲＡＭ(Random Access Memory)、ＥＥＰＲＯＭ、ＣＰＵ(Central Processing Unit)等を備えて構成されている。インターフェースは、上述したデータ等を送受信するための入出力ポート（port）であり、ＣＰＵは、インターフェースを介して、上述したリーダライタ装置や携帯電話機２等と交信する。ＥＥＰＲＯＭは、不揮発性半導体メモリの一種であり、記憶領域に記憶されているデータを消去し、何度でも再記憶ができるＰＲＯＭ(Programmable Rom)である。更に、ＥＥＰＲＯＭは、上述したＩＣカード識別情報等の契約者の情報を格納（記憶）する。このＩＣカード識別情報は、契約者に付与されるＩＣカード自体を他のＩＣカードから識別するための識別情報であり、例えば、ＩＣチップの製造業者等によって、製造時点に予め記憶されている。
【００６４】
［２．情報処理システムの動作］
次に、図５を用いて、本実施形態における上記登録情報が記憶されるまでについての動作例（図６）と、本実施形態における情報処理システムＳの上記登録情報が記憶されるまでの処理及び情報の流れ等を示すシーケンス図とを対応付けて説明する。
【００６５】
図５は本実施形態における情報処理システムＳの上記登録情報が記憶されるまでの処理及び情報の流れ等を示すシーケンス図であり、図６は本実施形態における上記登録情報が記憶されるまでについての動作例を示す概念図である。
【００６６】
図５において、ＩＣカード３の代わりに携帯電話機２を用いて上記企業との間で信用取引を成立させるために、契約者の携帯電話機２の操作により認証処理用アプリケーションが起動されると（ステップＳ１）、携帯電話機２のＣＰＵは、上記ＮＦＣのカードエミュレーション機能を起動させ、ＩＣカード３に対してＩＣカード識別情報の送信を要求する（ステップＳ２、図６（Ａ））。
【００６７】
具体的には、例えば、携帯電話機２のＣＰＵは、携帯電話機２のアンテナ部を介して、ＩＣカード３のＩＣチップへ、ＩＣカード３の動作に必要な電力及びＩＣカード識別情報の送信を要求するコマンドを送信する。
【００６８】
かかる電力及びコマンドを受信したＩＣチップは、携帯電話機２へ、ＩＣカード識別情報を送信する（ステップＳ３）。
【００６９】
携帯電話機２のＣＰＵは、ＩＣカード識別情報を受信すると（ステップＳ４）、情報処理サーバ１へ、携帯電話機２のＳＩＭ番号と受信したＩＣカード識別情報を送信する（ステップＳ５、図６（Ｂ））。
【００７０】
なお、携帯電話機２は、上記ＳＩＭ番号とＩＣカード識別情報を、ネットワークを介して情報処理サーバ１へ送信するようにしてもよいし、図示しないリーダライタ装置を介して情報処理サーバ１へ送信するようにしてもよい。この場合、リーダライタ装置は、携帯電話機２のＣＰＵから送信される上記ＳＩＭ番号とＩＣカード識別情報を受信し、受信したＳＩＭ番号とＩＣカード識別情報を、上記ネットワークを介して、情報処理サーバ１へ送信するようになっている。
【００７１】
情報処理サーバ１のシステム制御部１４は、携帯電話機２から送信されるＳＩＭ番号とＩＣカード識別情報を受信すると（ステップＳ６）、契約者情報ＤＢ１３１を参照して、受信したＩＣカード識別情報が契約者情報として記憶されているか否かを確認する。そして、受信したＩＣカード識別情報が契約者情報として記憶されていた場合には、システム制御部１４は、当該ＩＣカード識別情報と受信したＳＩＭ番号とを対応付けて登録情報として登録情報ＤＢ１３２に記憶する（ステップＳ７、図６（Ｃ））。
【００７２】
なお、上記アプリは、ＩＣカード識別情報と併せて、契約者に付与されているパスワードを合わせて送信させるようにしてもよい。これにより、真の契約者のみ以外は上記登録情報の記憶に関する処理を行うことができないため、セキュリティ性が向上する。
【００７３】
そして、システム制御部１４は、登録情報を携帯電話機２のＣＰＵへ送信する（ステップＳ８）。
【００７４】
以上の動作により、上述したように上記ＮＦＣのリーダライタエミュレーション機能によってＩＣカード３を取り込んだ携帯電話機２は、情報処理サーバ１に、ＳＩＭ番号を送信することによって、上記認証処理
ＩＣカード３として振舞うことができる。
【００７５】
次に、図７を用いて、本実施形態における情報処理システムＳの本実施形態におけるＳＩＭ番号を用いた認証処理についての処理及び情報の流れ等を説明する。
【００７６】
図７は本実施形態における情報処理システムＳの本実施形態におけるＳＩＭ番号を用いた認証処理についての処理及び情報の流れ等を示すシーケンス図である。
【００７７】
図７では、例えば、登録情報が記憶されたＩＣカードの所有者である契約者が、店舗における商品の購入又はサービスの提供を受ける際にその代金を信販会社等に事後的に支払う信用取引を、携帯電話機２を用いて行うための処理及び情報の流れ等が示されている。
【００７８】
具体的には、契約者が店舗において上記信用取引を行うため、かかる契約者の携帯電話機２の操作により、携帯電話機２のＣＰＵは、認証処理用アプリを起動する（ステップＳ１１）。
【００７９】
ついで、例えば店舗の経営者の操作に基づき店舗に備えられたリーダライタ装置から、ＩＣカードの情報の送信要求がなされると（ステップＳ１２）、携帯電話機２のＣＰＵは、かかる送信要求を受信した上記認証処理用アプリの制御により、上記リーダライタ装置へ、携帯電話機２のＳＩＭ番号を送信する（ステップＳ１３）。
【００８０】
上記ＳＩＭ番号を受信したリーダライタ装置は、かかるＳＩＭ番号を、情報処理サーバ１へ送信する（ステップＳ１５）。
【００８１】
リーダライタ装置から送信されるＳＩＭ番号を受信した情報処理サーバ１のシステム制御部１４は、登録情報を検索する（ステップＳ１６）。
【００８２】
具体的には、システム制御部１４は、登録情報ＤＢ１３２を参照して、上記ＳＩＭ番号と対応付けられたＩＣカード識別情報を検索し、検索されたＩＣカード識別情報が契約者情報として記憶されていた場合には、この検索結果をリーダライタ装置へ送信する（ステップＳ１７）。
【００８３】
かかる検索結果を受信したリーダライタ装置は、上記認証処理を行う（ステップＳ１８）。
【００８４】
なお、かかる認証処理は、上述したようにシステム制御部１４が行うようにしてもよい。
【００８５】
そして、リーダライタ装置は、上記認証処理の結果を携帯電話機２へ送信し（ステップＳ１９）、携帯電話機２のＣＰＵは、受信した認証処理の結果を記憶（更新）した旨をリーダライタ装置へ送信する（ステップＳ２０）。
【００８６】
なお、以上説明した本実施形態の携帯電話機２のＣＰＵは、ＩＣカード３の上記認証処理を受ける機能を取り込んでＩＣカード３として振舞うことを可能としているが、携帯電話機２のＣＰＵは、複数のＩＣカードの上記認証処理を受ける機能を取り込んで、各ＩＣカードとして振る舞うようにしてもよい。
【００８７】
ここで、図８を用いて、複数のＩＣカードの上記認証処理を受ける機能を取り込んで、各ＩＣカードとして振る舞う他の実施例について説明する。
【００８８】
図８は、複数のＩＣカードの上記認証処理を受ける機能を取り込んで、各ＩＣカードとして振舞う携帯電話機２を示す概念図である。
【００８９】
ＩＣカードを用いたシステムでは、当該システム毎に、異なる種類のＩＣカードが存在し、各システムにおいて上記認証処理が行われている。
【００９０】
具体的には、所定の場所における入退出時間を管理するシステムでは入退出管理用のＩＣカードに記憶されたＩＣカード識別情報を用いて上記認証処理が行われ、ＩＣカードが付与された者の入退出時間が管理されている。また、店舗等において商品を購入する毎に付与されるポイントを顧客情報とともに管理するシステムでは、ポイント管理用のＩＣカードに記憶されたＩＣカード識別情報を用いて上記認証処理が行われ、ＩＣカードが付与された者のポイントが管理されている。
【００９１】
そこで、各システムに応じた上記認証処理用アプリを用意し、かかるアプリを用いて、本実施形態の携帯電話機２に、各システムのＩＣカードの上記認証処理を受ける機能を取り込ませて、携帯電話機２を、各ＩＣカードとして振舞わせるようにしてもよい。
【００９２】
この認証用アプリの動作は、上述した動作と同様であるため、詳しい説明は省略する。
【００９３】
次に、図９を用いて、本実施形態における効果について説明する。
【００９４】
図９は、本実施形態における効果を示す概念図である。
【００９５】
図９に示すように、携帯電話機２が、ＩＣカード３の上記認証処理を受ける機能を取り込むことにより、携帯電話機２のディスプレイ機能にＩＣカードの中身、例えば、契約者が上記信用取引によって消費した金額や、上記ポイントの合計等を確認することも可能となる。
【００９６】
なお、以上説明した実施形態は特許請求の範囲にかかる発明を限定するものではない。そして、上記実施形態の中で説明されている構成の組み合わせ全てが発明の課題解決に必須の手段であるとは限らない。
【００９７】
以上説明したように、本実施形態によれば、システム制御部１４は、ネットワークを介して接続される携帯電話機２から、ＩＣカード識別情報と、ＳＩＭ番号を受信し、受信したＩＣカード識別情報と、ＳＩＭ番号とを対応付けて登録情報として記憶し、前記登録情報が記憶された後に、新たに上記認証処理を行う場合には、受信したＳＩＭ番号に対応付けられたＩＣカード識別情報に基づいて認証処理を行うように構成したため、ＩＣカード３が備える機能を簡便な手続で実行することができる。
【００９８】
なお、上記実施形態においては、本願をＩＣカード取引システムに対して適用した場合の例を示したが、その他にも例えば、ＩＣカードを用いた入退出管理システム等、ＩＣカードを用いた各種認証システム等に対しても適用することができる。
【００９９】
また、本願のＩＣチップは、ＩＣカードのみならず、携帯電話機、ＰＤＡ等の携帯型情報端末に対しても適用可能である。
【符号の説明】
【０１００】
１      情報処理サーバ
２      携帯電話機
３      ＩＣカード
１１    通信部
１２    操作部
１３    記憶部
１４    システム制御部
１５    システムバス
１６    入出力インターフェース部
ＮＷ    ネットワーク
Ｓ      情報処理システム
【図１】
0005534186.tif 000002
【図２】
0005534186.tif 000003
【図３】
0005534186.tif 000004
【図４】
0005534186.tif 000005
【図５】
0005534186.tif 000006
【図７】
0005534186.tif 000007
【図６】
0005534186.tif 000008
【図８】
0005534186.tif 000009
【図９】
0005534186.tif 000010